(57)【要約】【課題】取付部材への電気機器の取り付け等の作業が容易な電気機器収納用箱体を提供する。【解決手段】底板３上をスライド可能なスライド板１０を介してマウントパネル６を底板３上に設置することにより、マウントパネル６を、底板３上を移動可能とした。したがって、たとえばマウントパネル６への電気機器の取り付け時や取付状態にある電気機器のメンテナンス時に、マウントパネル６を必要に応じて移動させることで作業を容易に行うことができる。【選択図】図１
2010278359.tif 000002
【特許請求の範囲】
【請求項１】
電気機器を取付部材に取り付けた状態で本体の内部空間に収納する電気機器収納用箱体であって、
前記本体の内部に、前記取付部材が設置される面上をスライド可能なスライド部材を設け、前記取付部材を、前記スライド部材を介して設置したことを特徴とする電気機器収納用箱体。
【請求項２】
前記スライド部材のスライドを案内する案内部材を設けたことを特徴とする請求項１に記載の電気機器収納用箱体。
【請求項３】
前記本体の前面に開口が設けられた電気機器収納用箱体において、
前記スライド部材を前後方向へスライド可能に設けるとともに、前記スライド部材が設置される面に、前記スライド部材を前方へスライドさせた際、前記スライド部材の一部を貫通させて前記本体よりも前方へ突出させる貫通孔を設けたことを特徴とする請求項１又は２に記載の電気機器収納用箱体。
【請求項４】
前記スライド部材に、前後方向へ長いスライド孔を設け、当該スライド孔を介して前記スライド部材が設置される面へ螺入可能な摘み付きねじにより前記スライド部材を設置したことを特徴とする請求項３に記載の電気機器収納用箱体。
【発明の詳細な説明】
【技術分野】
【０００１】
本発明は、たとえば通信機器等の電気機器を収納するための電気機器収納用箱体に関するものである。
【背景技術】
【０００２】
従来、電気機器収納用箱体においては、箱体本体を形成する底板にフレーム状等に成形された取付部材を固定し、当該取付部材に電子機器を取付可能としたものがある（たとえば特許文献１）。
ここで、従来の電気機器収納用箱体について図４をもとに説明する。４１は、電気機器収納用箱体を構成する底板であって、当該底板４１の上面に、正面視コ字状のマウントパネル（取付部材）４２がネジ４３、４３・・によりネジ止めされている。そして、マウントパネル４２には、種々の電子機器が取付可能となっており、当該マウントパネル４２の周囲を覆うような側板や天板（共に図示せず）を設けることによって、電気機器収納用箱体は構成される。
【先行技術文献】
【特許文献】
【０００３】
【特許文献１】特開２００６−１４０２４２号公報
【発明の概要】
【発明が解決しようとする課題】
【０００４】
一般的に、取付部材へは複数の電気機器が取り付けられるため、従来の電気機器収納用箱体のように取付部材が底板にネジ止めされ、底板上での位置が定まってしまっている（移動できない）と、取付部材への電気機器の取り付けや電気機器のメンテナンス時等の作業が煩わしくなる場合がある。
【０００５】
そこで、本発明は、上記問題に鑑みなされたものであって、取付部材への電気機器の取り付け等の作業が容易な電気機器収納用箱体を提供しようとするものである。
【課題を解決するための手段】
【０００６】
上記目的を達成するために、本発明のうち請求項１に記載の発明は、電気機器を取付部材に取り付けた状態で本体の内部空間に収納する電気機器収納用箱体であって、前記本体の内部に、前記取付部材が設置される面上をスライド可能なスライド部材を設け、前記取付部材を、前記スライド部材を介して設置したことを特徴とする。
請求項２に記載の発明は、請求項１に記載の発明において、前記スライド部材のスライドを案内する案内部材を設けたことを特徴とする。
請求項３に記載の発明は、請求項１又は２に記載の発明において、前記本体の前面に開口が設けられた電気機器収納用箱体において、前記スライド部材を前後方向へスライド可能に設けるとともに、前記スライド部材が設置される面に、前記スライド部材を前方へスライドさせた際、前記スライド部材の一部を貫通させて前記本体よりも前方へ突出させる貫通孔を設けたことを特徴とする。
請求項４に記載の発明は、請求項３に記載の発明において、前記スライド部材に、前後方向へ長いスライド孔を設け、当該スライド孔を介して前記スライド部材が設置される面へ螺入可能な摘み付きねじにより前記スライド部材を設置したことを特徴とする。
【発明の効果】
【０００７】
本発明によれば、本体の内部に、取付部材が設置される面上をスライド可能なスライド部材を設け、取付部材を、スライド部材を介して設置しているため、たとえば取付部材への電気機器の取り付け時や電気機器のメンテナンス時に、取付部材を必要に応じて移動させることで作業を容易に行うことができる。
また、請求項２に記載の発明によれば、スライド部材のスライドを案内する案内部材を設けているため、スライド部材のスライドを安定させることができ、作業の一層の容易化を図ることができる。
さらに、請求項３に記載の発明によれば、スライド部材を前後方向へスライド可能に設けるとともに、スライド部材が設置される面に、スライド部材を前方へスライドさせた際、スライド部材の一部を貫通させて本体よりも前方へ突出させる貫通孔を設けている。したがって、前面開口近傍まで取付部材を引き出すことが可能となり、メンテナンス作業等をより容易に行うことができる。
加えて、請求項４に記載の発明によれば、スライド部材に、前後方向へ長いスライド孔を設け、当該スライド孔を介してスライド部材が設置される面へ螺入可能な摘み付きねじによりスライド部材を設置しているため、摘み付きねじを緩める／締めることでスライド部材をスライド可能／固定とすることができ、ドライバ等の工具を必要としない。
【図面の簡単な説明】
【０００８】
【図１】電気機器収納用箱体を分解した状態を示した説明図である。
【図２】底板上へマウントパネルを設置した状態を示した説明図である。
【図３】スライド板がスライドする様子を示した説明図である。
【図４】従来の電気機器収納用箱体の一部を示した説明図である。
【発明を実施するための形態】
【０００９】
以下、本発明の一形態となる電気機器収納用箱体について図面をもとに詳細に説明する。
【００１０】
電気機器収納用箱体１は、図１に示す如く、一対の側板及び天板をコ字状に連結してなる本体２と、本体２の底面開口を閉塞する底板３と、本体２の正面開口を閉塞する前扉４と、本体２の背面開口を閉塞する背板５とからなる。また、本体２内部には、図示しない通信機器を取り付けるためのマウントパネル６と、マウントパネル６と底板３との間に介在されるスライド機構７とが設けられている。
【００１１】
ここで、本発明の要部となるスライド機構７について説明する。
スライド機構７は、前後方向に長いスライド板１０と、該スライド板１０を案内する一対の案内部材１５、１５とからなる。スライド板１０は、金属製の薄板部材であって、マウントパネル６の底面が固定される固定部１０ａと、該固定部１０ａから前方へ突設されたスライド部１０ｂとを備えている。スライド部１０ｂには、前後方向に延びる一対のスライド孔１１、１１が開設されており、当該スライド孔１１、１１を介して底板３へ螺入されたローレットねじ１２、１２によって、スライド板１０は底板３にネジ止めされている。また、スライド部１０ｂの側方には、案内部材１５、１５が固定部１０ａ及びスライド部１０ｂを案内可能に底板３上面へ固定されている。したがって、ローレットねじ１２、１２を緩め、案内部材１５、１５に沿ってスライド板１０を前後方向へスライドさせることにより、固定部１０ａに固定されているマウントパネル６の位置も底板３上で移動させることができる。尚、底板３には、案内部材１５やスライド部１０ｂをネジ止めするための複数のネジ孔が設けられている。また、底板３は、その四辺を折り曲げた箱状に形成されており、底板３の前壁には、スライド部１０ｂが貫通可能な貫通孔１３が設けられて。したがって、図３に示す如く、貫通孔１３を介してスライド部１０ｂを前方へ突出させることにより、前扉４によって閉塞される前面開口近傍までマウントパネル６を引き出すことができる。
【００１２】
上述したような電気機器収納用箱体１を組み立てるにあたっては、まずローレットねじ１２、１２によりスライド板１０を底板３上に設置し、該スライド板１０にマウントパネル６を固定した後、マウントパネル６に各種電気機器を取り付ける。次に、マウントパネル６及び電気機器を覆うように本体２及び背板５を底板３へ組み付け、最後に前扉４を組み付ければ組み立て完了となる。そして、マウントパネル６への電気機器の取り付け時や取付状態にある電気機器をメンテナンスする際には、必要に応じてローレットねじ１２、１２を緩めてスライド板１０をスライドさせ、マウントパネル６の位置を変えてやればよい。
【００１３】
以上、電気機器収納用箱体１によれば、スライド板１０を介してマウントパネル６が底板３上に設置されており、マウントパネル６が底板３上を移動可能となっている。したがって、たとえばマウントパネル６への電気機器の取り付け時や取付状態にある電気機器のメンテナンス時に、マウントパネル６を必要に応じて移動させることで作業を容易に行うことができる。
また、スライド板１０の両側縁を挟むように案内部材１５、１５を設置するとともに、スライド板１０に前後方向へ長いスライド孔１１、１１を開設しており、各スライド孔１１にローレットねじ１２を挿通させている。したがって、スライド板１０のスライドを、案内部材１５、１５及びローレットねじ１２、１２によって案内することになるため、スライド板１０のスライドを安定させることができ、作業の一層の容易化を図ることができる。
【００１４】
さらに、スライド板１０は、固定部１０ａの前方に、スライド孔１１、１１が開設されたスライド部１０ｂを突設してなり、スライド孔１１を介してローレットねじ１２を底板３へ螺入することによりスライド板１０を固定している。したがって、ローレットねじ１２を緩めるだけでスライド板１０はスライド可能となるため、マウントパネル６をスライド板１０に固定したまま容易にスライドさせることができ、作業性が極めて良い。また、スライド板１０をスライドさせる際には、ローレットねじ１２、１２を緩めるだけで良く、ドライバ等の工具を必要としない。
加えて、底板３の前壁にスライド部１０ｂが貫通可能な貫通孔１３を設けているため、該貫通孔１３を介してスライド板１０のスライド部１０ｂを前方へ突出させることで、本体２の前面開口近傍までマウントパネル６を引き出すことができる。したがって、メンテナンス作業等をより容易に行うことができる。
【００１５】
なお、本発明の電気機器収納用箱体に係る構成は、上記実施形態に何ら限定されるものではなく、スライド機構、底板や本体等に係る構成を、本発明の趣旨を逸脱しない範囲で適宜変更することができる。
【００１６】
たとえば、底板上に一対のレール部材を設けるとともに、当該レール部材が係合可能なスライド溝を備えたスライド板をレール部材上に取り付けることによりスライド機構を形成してもよいし、スライド板と案内部材との当接面に車輪等の転動体を設けてもよい。
また、取付部材を側板に設置するタイプの電気機器収納用箱体にあっては、スライド機構を側板に設けても何ら問題はない。
【００１７】
さらに、スライド板の固定／解除に係る構成についても、上記ローレットねじを用いてスライド板を固定／解除する構成に限定されることはなく、スライド板に係合爪を、案内部材若しくは底板に被係合部を夫々設け、係合爪の被係合部への係合によってスライド板が固定され、両者の係合状態を解除することによりスライド板がスライド可能となるように構成することも可能である。
加えて、スライド部材を板状ではなくブロック状等に形成しても何ら問題はないし、フレーム状のマウントアングル等の取付部材に対しても当然適用可能である。
【符号の説明】
【００１８】
１・・電気機器収納用箱体、２・・本体、３・・底板、６・・マウントパネル（取付部材）、７・・スライド機構、１０・・スライド板（スライド部材）、１０ａ・・固定部、１０ｂ・・スライド部、１１・スライド孔、１２・・ローレットねじ（摘み付きねじ）、１３・・貫通孔、１５・・案内部材。
【図１】
2010278359.tif 000003
【図２】
2010278359.tif 000004
【図３】
2010278359.tif 000005
【図４】
2010278359.tif 000006